(57)【特許請求の範囲】
【請求項１】
紙幣をその長手方向を搬送方向に沿わせて一枚ずつ搬送する搬送部の端末に設けられた放出部から集積部へ放出して集積させる紙幣処理機であって、
前記放出部は、
紙幣の放出方向に対する直交方向の中間部を表裏両側から上下で挟持する一対の中間ローラと、
前記直交方向における前記一対の中間ローラの両側にそれぞれ設けられ、前記一対の中間ローラの紙幣挟持位置に対し互いに表裏方向の同側にオフセットした紙幣挟持位置で紙幣を表裏両側から上下で挟持する二対の外側ローラと、
前記直交方向における前記二対の外側ローラの両外側にそれぞれ設けられ、前記二対の外側ローラの紙幣挟持位置に対し互いに前記一対の中間ローラの紙幣挟持位置側にオフセットした紙幣案内位置で紙幣を表裏両側で案内する二対の案内手段とを有し、
前記二対の案内手段は、それぞれが、搬送ローラと、前記集積部側ほど下側に位置するように前下がりに傾斜した後、前記搬送ローラの下部外周面に所定の隙間を有して沿うように略円弧状に湾曲し前記集積部側の端部が水平に近い角度とされているガイド板とからなることを特徴とする紙幣処理機。
【請求項２】
前記放出部には該放出部から放出される紙幣の後端部を下方に叩く羽根車が設けられており、
前記放出方向に沿って前下がりに傾斜する集積部ガイドが、前記羽根車の回転時の外周面に対向して設けられていることを特徴とする請求項１に記載の紙幣処理機。
【発明の詳細な説明】
【技術分野】
【０００１】
本発明は、紙幣処理機に関し、特に折り癖のある紙幣を良好に集積できる紙幣処理機に関する。
【背景技術】
【０００２】
バラ紙幣が一括して装填部にセットされると、これを分離繰出部で一枚ずつ分離して繰り出し搬送部で搬送して一時貯留部に集積させた後に収納部に収納させる紙幣処理機がある（例えば、特許文献１参照）。
【特許文献１】実公平１−９８０５号公報
【発明の開示】
【発明が解決しようとする課題】
【０００３】
上記した紙幣処理機を含む従来の多くの紙幣処理機では、紙幣を横長の姿勢で装填部に装填させるとともに、紙幣を横長の姿勢で搬送して一時貯留部等に放出させて集積させるようになっているが、最近では紙幣の金種毎の長さが大きく相違しないこと等の理由で、長手方向を搬送方向に沿わせて搬送する方式も採用されるようになってきている。
【０００４】
ところで、紙幣を折り畳むとき、通常短手方向に折り線がつくように長手方向に折り畳むことになるが、紙幣を横長の姿勢で搬送すると、搬送部の湾曲部分で、前記のような折り線を、これに直交する方向に沿う中心線を中心に曲げることになって、折り癖を矯正することができ、その結果、搬送部から放出させて集積させる際にも良好に集積させることができることになる。しかしながら、紙幣をその長手方向を搬送方向に沿わせて搬送する方式を採用した場合には、搬送部の湾曲部分が、折り線を、これに沿う中心線を中心に曲げることになって、折り癖を十分に矯正することができない。このように、折り癖が矯正できないと、特に搬送部の端末の放出部から集積部に放出されたときに、折り癖で紙幣が反り、後続の紙幣にぶつかって良好に集積させることができない場合があった。
【０００５】
したがって、本発明は、紙幣をその長手方向を搬送方向に沿わせて搬送部で搬送する場合であっても、搬送部から放出した紙幣を集積部で良好に集積させることができる紙幣処理機の提供を目的とする。
【課題を解決するための手段】
【０００６】
上記目的を達成するために、請求項１に係る発明は、紙幣をその長手方向を搬送方向に沿わせて一枚ずつ搬送する搬送部の端末に設けられた放出部から集積部へ放出して集積させる紙幣処理機であって、前記放出部は、紙幣の放出方向に対する直交方向の中間部を表裏両側から上下で挟持する一対の中間ローラと、前記直交方向における前記一対の中間ローラの両側にそれぞれ設けられ、前記一対の中間ローラの紙幣挟持位置に対し互いに表裏方向の同側にオフセットした紙幣挟持位置で紙幣を表裏両側から上下で挟持する二対の外側ローラと、前記直交方向における前記二対の外側ローラの両外側にそれぞれ設けられ、前記二対の外側ローラの紙幣挟持位置に対し互いに前記一対の中間ローラの紙幣挟持位置側にオフセットした紙幣案内位置で紙幣を表裏両側で案内する二対の案内手段とを有し、前記二対の案内手段は、それぞれが、搬送ローラと、前記集積部側ほど下側に位置するように前下がりに傾斜した後、前記搬送ローラの下部外周面に所定の隙間を有して沿うように略円弧状に湾曲し前記集積部側の端部が水平に近い角度とされているガイド板とからなることを特徴としている。
【０００８】
請求項２に係る発明は、請求項１に係る発明において、前記放出部には該放出部から放出される紙幣の後端部を下方に叩く羽根車が設けられており、前記放出方向に沿って前下がりに傾斜する集積部ガイドが、前記羽根車の回転時の外周面に対向して設けられていることを特徴としている。
【発明の効果】
【０００９】
請求項１に係る発明によれば、搬送部で長手方向に沿う姿勢で搬送される紙幣を搬送部の端末の放出部から集積部へ放出させる際に、放出部は、一対の中間ローラで紙幣の放出方向に対する直交方向の中間部を表裏両側から挟持するとともに、同じ紙幣の前記直交方向における両側を二対の外側ローラで、一対の中間ローラの紙幣挟持位置に対し表裏方向の同側にオフセットした紙幣挟持位置で挟持する。このため、紙幣に短手方向に沿って形成された折り線を、直交する表裏方向に、放出方向前方から見て略Ｖ字または略逆Ｖ字の段差状に曲げることになって、折れ癖等を矯正できる。したがって、搬送部から放出した紙幣を集積部で良好に集積させることができる。
【００１０】
また、搬送部で長手方向に沿う姿勢で搬送される紙幣を搬送部の端末の放出部から集積部へ放出させる際に、放出部は、上記と同様にして一対の中間ローラで紙幣の放出方向に対する直交方向の中間部を表裏両側から挟持するとともに、同じ紙幣の前記直交方向における両側を二対の外側ローラで、一対の中間ローラの紙幣挟持位置に対し表裏方向の同側にオフセットした紙幣挟持位置で挟持することになり、さらに、同じ紙幣の前記直交方向におけるさらに両側を二対の案内手段で、一対の中間ローラの紙幣挟持位置側にオフセットした紙幣案内位置で案内することになる。このため、紙幣に短手方向に沿って形成された折り線を、直交する表裏方向に、放出方向前方から見て略Ｗ字または略Ｍ字の段差状に曲げることになって、折れ癖等をさらに矯正できる。したがって、搬送部から放出した紙幣を集積部でさらに良好に集積させることができる。
【００１１】
請求項２に係る発明によれば、放出方向に沿って前下がりに傾斜する集積部ガイドが、放出部の羽根車の回転時の外周面に対向して設けられているため、例え折れ癖を矯正しきれないで集積部に放出される紙幣があっても、集積部ガイドによってこの紙幣の後端を羽根車で叩ける範囲に収めることが可能になる。よって、集積部内の紙幣に折れ癖があってもその後端部を羽根車で下方に確実に叩くことができ、後に放出される紙幣との接触を回避することができる。
【発明を実施するための最良の形態】
【００１２】
本発明の一実施形態の紙幣入金機を図面を参照して以下に説明する。
本実施形態の紙幣入金機１１は、バラの紙幣Ｓを計数して入金および収納する入金収納処理と、バラの紙幣Ｓを計数して返却する計数処理とを行うことが可能とされるものであるが、さらに収納した紙幣Ｓを出金させるもの等、種々の紙幣入金機に適用可能である。
【００１３】
本実施形態の紙幣入金機１１は、図１に概略的に示すように、機体の前面側の上部にバラ紙幣Ｓが投入される装填部１２が設けられ、この装填部１２の下側に機体内からリジェクト紙幣Ｓが繰り出されるリジェクト部１３が設けられている。
【００１４】
装填部１２は、水平に対し若干後ろ下がりに傾斜してその底をなす台部１５を有しており、この台部１５上に紙幣Ｓが上下方向に集積された状態で装填される。なお、台部１５を水平に配置しても良い。
【００１５】
また、装填部１２には、台部１５の機体奥側上方に機体左右方向に沿って配設された回動軸１６と、この回動軸１６に回動可能に支持されて台部１５の上側で上下に揺動可能とされ、台部１５上に装填された紙幣Ｓを台部１５との間で挟持するビルプレス１７とが設けられている。
【００１６】
装填部１２の機体奥側には、このように台部１５上に装填されたバラ紙幣Ｓを、下側のものから一枚ずつ分離して機体内に繰り出す分離繰出部２０が設けられている。この分離繰出部２０は、装填部１２の台部１５に、台部１５から上部を一部突出させた状態で機体左右方向に沿う軸回りに回転可能に設けられた蹴出ローラ２１と、台部１５よりも機体奥側に蹴出ローラ２１と平行な軸回りに回転可能に設けられた繰出ローラ２２と、この繰出ローラ２２の上側に繰出ローラ２２と平行な軸回りに回転可能に設けられた分離ローラ２３とを有している。分離ローラ２３は、図示せぬワンウエイクラッチによって繰出ローラ２２側が機体奥方に移動する方向の回転が規制され、逆方向の回転のみ許容される。
【００１７】
このような分離繰出部２０は、台部１５上に装填されたバラ紙幣Ｓの最下のものを蹴出ローラ２１で繰出ローラ２２と分離ローラ２３との間に蹴り出し、この蹴り出し時に最下の紙幣Ｓに引きずられて繰出ローラ２２と分離ローラ２３との間に移動した紙幣Ｓを分離ローラ２３で止めて蹴り出された最下の紙幣Ｓのみを繰出ローラ２２で機体方向に繰り出す。
【００１８】
この分離繰出部２０の機体奥側には、分離繰出部２０から繰り出された紙幣Ｓを搬送する搬送部２５が接続されている。この搬送部２５は、紙幣を案内する複数のガイド板と搬送ローラと振分部材等で構成されるもので、分離繰出部２０から略水平に沿って機体奥側に延出した後に下側に折り返し略水平に沿って機体手前側に延出してリジェクト部１３に接続される搬送路２６と、この搬送路２６の途中から前下がりに延出する搬送路２７とを有しており、搬送路２６には、搬送中の紙幣Ｓの金種、真偽、正損および搬送異常の識別と計数とを行う識別部３０が設けられている。
【００１９】
搬送部２５の搬送路２７の端末位置には、識別部３０により真紙幣かつ正紙幣で正常搬送と識別された紙幣Ｓを金種混合で一時貯留させる一時貯留部（集積部）３２が接続されている。
さらに、一時貯留部３２の下側には、一時貯留部３２に一時貯留された紙幣Ｓを上部開口から受け入れて収納させる収納金庫（収納部）３３が設けられている。
【００２０】
なお、装填部１２には、紙幣Ｓが分離繰出部２０の分離繰出方向に長手方向を沿わせる姿勢で装填されることになり、搬送部２５は紙幣Ｓをその長手方向を搬送方向に沿わせた姿勢で搬送し、その長手方向を放出方向に沿わせた姿勢で一時貯留部３２およびリジェクト部１３のいずれかに放出させる。
【００２１】
一時貯留部３２は、搬送路２７の放出方向前方に鉛直に立設された前壁部３５と、搬送路２７の放出方向後側に略鉛直に立設された後壁部３６と、これら前壁部３５および後壁部３６の左右同側同士を接続させる鉛直に立設された一対の側壁部３７（各図面では断面とした関係上一方のみ図示）とを有する角筒状の壁部構成体３８と、角筒状の壁部構成体３８の下部開口を開閉させるとともに閉時に一時貯留部３２の底部を構成するシャッタ３９と、角筒状の壁部構成体３８の上部開口を閉塞させる天井面４０とを有している。なお、前壁部３５は、機体前面の開閉可能な返却扉４１の裏側の一部で構成されている。
【００２２】
搬送部２５の搬送路２７は、その端末位置つまり一時貯留部３２へ接続する放出部４５が、図２および図３に示すように、紙幣Ｓの放出方向に直交する短手方向の略中央の中間部を上下両側（表裏両側）から挟持する、繰出ローラ２２と平行な一対の回転自在の中間ローラ４６ａ，４６ｂと、紙幣Ｓの短手方向における中間ローラ４６ａ，４６ｂの両側にそれぞれ等距離離れて設けられ、一対の中間ローラ４６ａ，４６ｂの紙幣挟持位置に対し互いに表裏方向の同側である上側にオフセットした紙幣挟持位置で紙幣Ｓを上下両側（表裏両側）から挟持する外側ローラ４７ａ，４７ｂおよび外側ローラ４８ａ，４８ｂの二対とを有している。つまり、中間ローラ４６ａ，４６ｂの紙幣挟持位置と外側ローラ４７ａ，４７ｂの紙幣挟持位置と外側ローラ４８ａ，４８ｂの紙幣挟持位置とが紙幣放出方向から見てＶ字状に配置されている。
【００２３】
ここで、下側の中間ローラ４６ｂ、外側ローラ４７ｂおよび外側ローラ４８ｂは、後壁部３６の上部外側に配置された共通の駆動軸５０に支持されており、すべて同軸上に配置されている。また、上側の中間ローラ４６ａ、外側ローラ４７ａおよび外側ローラ４８ａもすべて同軸上に配置されている。そして、上側の中間ローラ４６ａは下側の中間ローラ４６ｂに対し若干大径とされる一方、下側の同径の両外側ローラ４７ｂ，４８ｂに対して上側の同径の両外側ローラ４７ａ，４８ａが小径とされることで、紙幣挟持位置が上記したＶ字状とされている。
【００２４】
また、放出部４５は、図２に示すように（図３では図示略）、紙幣Ｓの短手方向における外側ローラ４７ａ，４７ｂおよび外側ローラ４８ａ，４８ｂの二対に対し両外側にそれぞれ羽根車５２，５３を有している。これら羽根車５２，５３は、駆動軸５０の両外側ローラ４７ｂ，４８ｂのさらに外側に支持されており、各羽根車５２，５３には、それぞれに羽部５５が放射状に複数形成されている。これら羽根車５２，５３は、羽部５５を後壁部３６から前壁部３５側に突出させ、しかも回転時に羽部５５の先端がシャッタ３９に接触せず且つシャッタ３９の近傍で移動するように寸法が設定されている。
【００２５】
さらに、放出部４５は、紙幣Ｓの短手方向における外側ローラ４７ａ，４７ｂおよび外側ローラ４８ａ，４８ｂの二対に対し両外側であって両羽根車５２，５３よりもさらに外側にそれぞれ設けられ、二対の外側ローラ４７ａ，４７ｂおよび外側ローラ４８ａ，４８ｂの紙幣挟持位置に対し互いに一対の中間ローラ４６ａ，４６ｂの紙幣挟持位置側である下側にオフセットした紙幣案内位置で紙幣Ｓを表裏両側で案内する搬送ローラ（案内手段）５６ａおよびガイド（案内手段）５６ｂと搬送ローラ（案内手段）５７ａおよびガイド（案内手段）５７ｂとの二対が設けられている。
【００２６】
両搬送ローラ５６ａ，５７ａは、中間ローラ４６ａ，４７ａ，４８ａの上側に配置された共通の駆動軸５９に支持されており、両ガイド５６ｂ，５７ｂは、搬送ローラ５６ａ，５７ａの外周面に所定の隙間を有して沿うように略円弧状に湾曲し、しかもその一時貯留部３２側の端部が水平に近い角度とされている。両ガイド５６ｂ，５７ｂは上記した駆動軸５０の上側に配置されている。
【００２７】
上記した放出部４５は、両搬送ローラ５６ａ，５７ａが駆動軸５９に固定されていて図示略のモータによる駆動軸５９の回転でそれぞれのガイド５６ｂ，５７ｂ側を一時貯留部３２に向けて移動させるように回転することになり、下側の中間ローラ４６ｂ、外側ローラ４７ｂ，４８ｂおよび羽根車５２，５３が駆動軸５０に固定されていて図示略のモータによる駆動軸５０の回転でそれぞれの上側を一時貯留部３２に向けて移動させるように回転することになる。これらに対し、上側の中間ローラ４６ａおよび外側ローラ４７ａ，４８ａは、それぞれフリーで回転可能となっており、下側の中間ローラ４６ｂ、外側ローラ４７ｂ，４８ｂに対して直接接触して連れ回りし、または紙幣Ｓを介して連れ回りする。
【００２８】
そして、一時貯留部３２の天井面４０には、図４に示すように、水平に対し放出部４５の紙幣放出方向に沿って前下がりに傾斜する板状のガイド（集積部ガイド）６１が、羽根車５２，５３の回転時の外周面つまり回転時の羽根５５の先端部に近接しつつ対向する位置に設けられている。
【００２９】
紙幣入金機１１には、図１に示すように、上記した分離繰出部２０、搬送部２５、識別部３０、シャッタ４６等を制御する制御部６３と、操作者への表示を行う表示部６４と、操作者による操作入力が行われる操作部６５とが設けられている。
【００３０】
以上の紙幣入金機１１で紙幣Ｓの入金収納処理を行う場合について説明する。
操作者が装填部１２のビルプレス１７を持ち上げてこれと台部１５との間に紙幣Ｓを、その長手方向を機体前後方向に沿わせた状態で装填する。このとき、金種混合の装填および単一金種の装填のいずれも可能である。そして、操作者が操作部６５に入金開始を操作を入力すると、制御部６３が分離繰出部２０と搬送部２５とを駆動する。すると、装填部１２に装填された紙幣Ｓが最下のものから一枚ずつ機内に繰り出され、搬送部２５で搬送される。その途中で識別部３０により受け入れ可能と識別された紙幣Ｓが搬送路２７の放出部４５から一時貯留部３２内に放出され、それ以外の紙幣Ｓがリジェクト部１３に放出される。なお、リジェクト部１３に放出された紙幣Ｓはそのまま機外へ取り出し可能となる。
【００３１】
そして、受け入れ可能と識別された紙幣Ｓは、搬送路２７の端末の放出部４５において、搬送ローラ５６ａ，５７ａの駆動回転によって搬送ローラ５６ａ，５７ａとガイド５６ｂ，５７ｂとで一時貯留部３２側に搬送されることになり、これら搬送ローラ５６ａ，５７ａおよびガイド５６ｂ，５７ｂによる搬送の終期に、図２および図５に示すように、これらによる搬送に、中間ローラ４６ｂおよび外側ローラ４７ｂ，４８ｂの駆動回転による中間ローラ４６ｂおよび外側ローラ４７ｂ，４８ｂと中間ローラ４６ａおよび外側ローラ４７ａ，４８ａとによる繰出が加わって、一時貯留部３２に放出されることになる。この放出時に、紙幣Ｓの放出方向つまり長手方向において同位置となる部分が、短手方向の中間位置において放出部４５の中間ローラ４６ａ，４６ｂ間の紙幣挟持位置を、短手方向のこの中間位置に対し一方の外側位置において外側ローラ４７ａ，４７ｂ間の紙幣挟持位置を、短手方向の前記中間位置に対し他方の外側位置において外側ローラ４８ａ，４８ｂ間の紙幣挟持位置を、短手方向の前記一方の外側位置に対しさらに外側位置において搬送ローラ５６ａおよびガイド５６ｂ間の案内位置を、短手方向の前記他方の外側位置に対しさらに外側位置において搬送ローラ５７ａおよびガイド５７ｂ間の案内位置を、それぞれ同時に通過した直後に放出部４５から外側に突出し、このような放出部４５の通過を全長にわたって連続的に行った後に紙幣Ｓが一時貯留部３２に放出され、羽根車３５で後端部が下方に叩かれて下降して閉状態のシャッタ３９上に順次下から上へと集積される。
【００３２】
ここで、放出部４５の中間ローラ４６ａ，４６ｂの紙幣挟持位置に対し、外側ローラ４７ａ，４７ｂの紙幣挟持位置および外側ローラ４８ａ，４８ｂの紙幣挟持位置が上側にオフセットされているため、紙幣Ｓは長手方向において同位置となる部分が、略Ｖ字状に若干曲げられ、さらに、外側ローラ４７ａ，４７ｂの紙幣挟持位置および外側ローラ４８ａ，４８ｂの紙幣挟持位置に対し下側にオフセットされた搬送ローラ５６ａおよびガイド５６ｂ間の案内位置と搬送ローラ５７ａおよびガイド５７ｂ間の案内位置とを併せると、略Ｗ字状に若干曲げられる。紙幣Ｓはこのような緩やかな曲げが全長にわたって連続的に行われた後に一時貯留部３２に放出される。これにより、折れ癖やカール、しわ等がある紙幣Ｓが装填部１２に装填されたとしても、このような紙幣Ｓを矯正してから一時貯留部３２に放出できる。したがって、搬送部２５から放出した紙幣Ｓを一時貯留部３２で良好に集積させることができる。
【００３３】
また、図４に二点鎖線で示すように、上記の放出部４５の通過では矯正しきれない紙幣Ｓがあって、このような紙幣Ｓが放出部４５から放出され一時貯留部３２に一時貯留されることで、例え、その後端部が上側に反り上がったとしても、放出部４５の紙幣放出方向に沿って前下がりに傾斜するガイド６１が、放出部４５の羽根車５２，５３の回転時の外周面に近接し対向して設けられているため、ガイド６１によってこの紙幣Ｓの後端を羽根車５２，５３で叩ける範囲に収めることができる。つまり、一時貯留部３２に落下した紙幣の後端部が反り上がってもガイド６１に引っ掛かることになってガイド６１を超えての反り上がりが規制され、しかも、少なくとも羽根車５２，５３が回転している間は、羽根車５２，５３で下方に叩かれ続けることで反り上がった状態にならずに済み、よって、その後に放出部４５から放出される後続の紙幣Ｓとの接触を回避して、その上側に後続の紙幣Ｓを集積させることができる。
【００３４】
上記のようにして、装填部１２に装填された紙幣Ｓが、リジェクト部１３および一時貯留部３２のいずれかに放出されることですべてなくなると、制御部６３は、分離繰出部２０および搬送部２５を停止させて、識別部３０の識別結果に基づいて一時貯留部３２に一時貯留された紙幣Ｓの識別結果を表示部６４に表示させる。この表示を見て操作者がキャンセル操作を操作部６５に入力すると、制御部６３は返却扉４１を開放可能とし、操作者が返却扉４１を開いて直接一時貯留部３２の紙幣Ｓを取り出すことになる。
【００３５】
他方、表示を見て操作者が承認操作を操作部６５に入力すると、制御部６３はシャッタ３９を開作動させることになり、一時貯留部３２の下部開口から、紙幣Ｓが下方に落下して、収納金庫３３に収納される。
【００３６】
なお、以上の紙幣入金機１１で紙幣Ｓの計数処理を行う場合は、上記と同様にして、装填部１２に装填された紙幣Ｓがすべてリジェクト部１３および一時貯留部３２に搬送されたら、一時貯留部３２から収納金庫３３に紙幣Ｓを収納せずに、返却扉４１を開いて一時貯留部３２の紙幣を操作者に返却することになる。
【００３７】
以上に述べた本実施形態の紙幣入金機１１によれば、搬送部２５で長手方向に沿う姿勢で搬送される紙幣Ｓを搬送部２５の搬送路２７の端末の放出部４５から一時貯留部３２へ放出させる際に、放出部４５は、一対の中間ローラ４６ａ，４６ｂで紙幣Ｓの放出方向に対する直交方向の中間部を表裏両側から挟持するとともに、同じ紙幣Ｓの前記直交方向における両側を二対の外側ローラ４７ａ，４７ｂおよび外側ローラ４８ａ，４８ｂで、一対の中間ローラ４６ａ，４６ｂの紙幣挟持位置に対し表裏方向の同側にオフセットした紙幣挟持位置で挟持することになり、さらに、同じ紙幣Ｓの前記直交方向におけるさらに両側を搬送ローラ５６ａおよびガイド５６ｂと搬送ローラ５７ａおよびガイド５７ｂとの二対で、一対の中間ローラ４６ａ，４６ｂの紙幣挟持位置側にオフセットした紙幣案内位置で案内することになる。このため、紙幣Ｓに短手方向に沿って形成された折り線を直交する表裏方向に、放出方向前方から見て略Ｗ字の段差状に曲げることになって、折れ癖等を矯正できる。したがって、搬送部２５の搬送路２７から放出した紙幣Ｓを一時貯留部３２で良好に集積させることができる。
【００３８】
また、放出方向に沿って前下がりに傾斜するガイド６１が、放出部４５の羽根車５２，５３の回転時の外周面に対向して設けられているため、例え折れ癖を矯正しきれないで一時貯留部３２に放出される紙幣Ｓがあっても、ガイド６１によってこの紙幣Ｓの後端を羽根車５２，５３で叩ける範囲に収めることが可能になる。よって、一時貯留部３２内の紙幣Ｓに折れ癖があってもその後端部を羽根車５２，５３で下方に確実に叩くことができ、後に放出される紙幣Ｓとの接触を回避することができる。
【００３９】
なお、放出部４５で紙幣Ｓを放出する際に、搬送ローラ５６ａおよびガイド５６ｂと搬送ローラ５７ａおよびガイド５７ｂとの案内を行わずに、一対の中間ローラ４６ａ，４６ｂによる挟持と二対の外側ローラ４７ａ，４７ｂおよび外側ローラ４８ａ，４８ｂによる挟持のみを行っても良い。この場合でも、紙幣Ｓに短手方向に沿って形成された折り線を直交する表裏方向に、放出方向前方から見て略Ｖ字の段差状に曲げることになって、折れ癖等を矯正でき、搬送部２５から放出した紙幣Ｓを一時貯留部３２で良好に集積させることができる。
【００４０】
また、搬送部の端末に設けられた放出部から紙幣を放出して集積させる部分であれば、一時貯留部３２に限らず、リジェクト部１３等の他の種々の部分に適用可能である。
【図面の簡単な説明】
【００４１】
【図１】本発明の一実施形態の紙幣処理機を概略的に示す側断面図である。
【図２】本発明の一実施形態の紙幣処理機の要部を示す斜視図である。
【図３】本発明の一実施形態の紙幣処理機の要部を示す正面図である。
【図４】本発明の一実施形態の紙幣処理機の要部を示す側断面図である。
【図５】本発明の一実施形態の紙幣処理機の要部を示す正面図である。
【符号の説明】
【００４２】
Ｓ  紙幣
１１  紙幣処理機
２５  搬送部
３２  一時貯留部（集積部）
４５  放出部
４６ａ，４６ｂ  中間ローラ
４７ａ，４７ｂ，４８ａ，４８ｂ  外側ローラ
５２，５３  羽根車
５６ａ，５７ａ  搬送ローラ（案内手段）
５６ｂ，５７ｂ  ガイド（案内手段）
６１  ガイド（集積部ガイド）
【図１】
0004409502.tif 000002
【図２】
0004409502.tif 000003
【図３】
0004409502.tif 000004
【図４】
0004409502.tif 000005
【図５】
0004409502.tif 000006